(57)【要約】【課題】冷却効率を高めることができ、冷却効果の持続性を向上させることができる屋根冷却システムの提供を目的とする。【解決手段】多孔質体により形成され、直射日光の照射による加熱に対して日陰になる部位に形成された日陰通水路１から浸透した水分を蒸発させることにより冷却される屋根構造体２を有して屋根冷却システムを構成する。  屋根構造体２に供給される水の温度上昇が抑えられることにより、蒸発による水量の減少が防止でき、安定して屋根構造体１全体に十分に水を拡散させることができるために、屋根の冷却効率を高めることができる。【選択図】  図１
2006169736.tif 000002
【特許請求の範囲】
【請求項１】
多孔質体により形成され、直射日光の照射による加熱に対して日陰になる部位に形成された日陰通水路から浸透した水分を蒸発させることにより冷却される屋根構造体を有する屋根冷却システム。
【請求項２】
前記屋根構造体は屋根材の複数を重ねて形成され、
前記日陰通水路は屋根材の重合によって形成される請求項１記載の屋根冷却システム。
【請求項３】
前記日陰通水路内に給水可能に挿通される給水管を備えた給水手段を有し、
前記日陰通水路はほぼ閉塞状態に形成されて給水により内部の圧力が高められる請求項１または２記載の屋根冷却システム。
【発明の詳細な説明】
【技術分野】
【０００１】
本発明は屋根冷却システムに関するものである。
【背景技術】
【０００２】
従来、太陽光によって加熱されて次第に高温になり、その輻射熱によって建物内部や周辺の温度を上昇させてしまう屋根を冷却するためのシステムとして、特許文献１に記載されたものが知られている。この従来例において、瓦葺き等の屋根の棟には散水孔を備えた散水管が配置され、散水孔から屋根表面に散水をすることにより屋根の温度が下げられる。
【０００３】
また、特許文献２には、上記第１の従来例における瓦等に代えて屋根材を透水性タイルで形成することが提案されている。この第２の従来例において上述した第１の従来例と同様に散水孔から屋根表面に撒かれた水は、透水性タイルに浸透して該タイル内部において保水され、屋根が直射日光によって加熱されたときに蒸発してタイルから気化熱を奪うことにより屋根の過熱を比較的長期間に渡って防止する。
【特許文献１】特開２０００-２６５５８５公報
【特許文献２】特開平１０-１９６０６１号公報
【発明の開示】
【発明が解決しようとする課題】
【０００４】
しかしながら、上述した第１、第２の従来例は屋根表面に散水をすることから、以下の欠点を有する。
【０００５】
すなわち、散水された水は、直射日光に曝された屋根表面をその傾斜に従って流れることにより棟から軒へと屋根全体に拡散されるために、屋根表面が既に高温になっている場合には、瞬時、あるいは流れている途中で蒸発してしまい、屋根全体に十分に行き渡らなくなる。屋根の傾斜が緩く、日差しが強い場合なども同様であり、したがって上記第１、第２の従来例は、水の拡散が不十分になりやすく、屋根全体としての冷却効果が悪いという欠点がある。
【０００６】
この欠点は、屋根表面を流れる水の量を増やすこと、すなわち散水量を増やすことにより解消することが可能であるが、刻々と変化する屋根の温度や日照環境、個々の屋根の傾斜等に応じて散水量を適度に調整することは難しく、晴天時に屋根から水が滴り落ちてしまうようでは生活に支障を来すことが明らかである。また、仮に余剰分の水を樋などで適宜に排出させたとしても、屋根の熱量に対する水の過剰供給による低効率、ランニングコストの増大は回避できない。
【０００７】
また、上述した第２の従来例のように屋根材に保水させる場合には、屋根材への浸透具合を考慮して水の流れる速度を設定する必要がある上に、あまり透水性を高めてしまうと、同時に放水性、すなわち屋根内部に蓄えている水分の蒸発も促進されてしまい、過熱防止の持続性が低下してしまう。
【０００８】
本発明は、以上の欠点を解消すべくなされたものであって、冷却効率を高めることができ、冷却効果の持続性を向上させることができる屋根冷却システムの提供を目的とする。
【課題を解決するための手段】
【０００９】
本発明によれば上記目的は、
多孔質体により形成され、直射日光の照射による加熱に対して日陰になる部位に形成された日陰通水路１から浸透した水分を蒸発させることにより冷却される屋根構造体２を有する屋根冷却システムを提供することにより達成される。
【００１０】
本発明によれば、屋根冷却システムは、直射日光によって加熱される屋根から水分を蒸発させてその際の気化熱によって屋根を冷却する。屋根をなす屋根構造体２から蒸発する水分は、屋根構造体２の日陰になる部位に形成された日陰通水路１から屋根構造体２に浸透することにより供給されるために、浸透によって屋根構造体２の外表面に到達するまで直射日光が遮られた日陰におくことができ、水温の上昇が抑えられることで蒸発による水量の減少が防止される。したがって屋根構造体２の保水量に応じた水量を供給することで、日差しの強さなどにあまり影響されることなく、安定して屋根構造体２全体に十分に水を拡散させることができ、屋根の冷却効率を高めることができる。
【００１１】
屋根構造体２への水の浸透は、屋根構造体２を多孔質体で形成することにより毛管現象を利用した屋根全体への効率的な拡散を含めて容易に行うことが可能であり、また、このように屋根構造体２を多孔質にすることにより、保水性を発揮させ、比較的長期間に渡って屋根構造体２の温度上昇を防止することができる。屋根構造体２の材料としては透水、保水が可能な適宜の孔サイズと連続気泡構造を備えた多孔質のものであればよく、具体的には、例えば煉瓦や素焼きタイル、気泡コンクリート、ＡＬＣ板のほか、いわゆる保水性セラミックスと呼ばれるような多孔質のセラミックスなどを使用することが可能である。
【００１２】
また、保水性を高めるために屋根構造体２の孔のサイズを比較的小さくした場合であっても、浸透するまで日陰通水路１内に水を一時的に貯留すれば浸透水量が減小してしまうことはなく、また、屋根構造体２に圧力をかけて水を強制的に滲入させれば給水を迅速にすることができる。したがって上述した第２の従来例に比べて屋根の保水性、冷却効果の持続性をより向上させることが可能であり、一旦水を供給しておくだけで、再度の給水をすることなくより長期間に渡って屋根を低温に維持することができる。なお、上述した圧力はポンプなどによるほか屋根の傾斜の高低差を利用した水頭圧によっても容易に発生させることが可能である。
【００１３】
上述した日陰通水路１は、適宜形成される日除けの下、あるいは屋根構造体２の外表面より下方に配置することにより日陰に形成することが可能である。この場合において、外表面下、例えば屋根構造体２内部にトンネル状に形成したした場合には、日陰通水路１が屋根構造体２の外表面に対して暗渠として機能し、屋根の外観を損ねることがない。なお、日陰通水路１は通水のための空間として形成されるために、屋根構造体２は当該空間を形成するものであれば足り、例えば、屋根構造体２が固定される屋根下地と協働して通水可能な空間が形成されるように構成することも可能である。
【００１４】
また、日陰通水路１の屋根構造体２における配置は、屋根全面に碁盤の目のように緻密にすることによって屋根構造体２全体への拡散効率を高めることもできるが、例えば、屋根の傾斜を利用して自重によって水を棟軒方向に積極的に浸透させることも可能であり、この場合には棟軒方向の配置を省くことができるために日陰通水路１の構造を比較的単純化することができる。また、浸透による拡散の促進は、屋根構造体２の背面等に防水処理を施して拡散範囲を限定することによっても高めることが可能である。
【００１５】
一方、屋根構造体２は、上述した保水性セラミックスを一体成形して形成することも可能であるが、屋根材３の複数を羽重ねや相じゃくりなどに重ねることによって形成することにより施工作業性を高めることができる。この場合、上記日陰通水路１は、屋根材３の重合により形成される遮光された突き合わせ面や、屋根材３の段差の背面側に生じる遮光された空隙を利用することにより、上述したようにトンネル状に容易に形成することができる。また、このようにして形成された日陰通水路１は、屋根材３の重なりを外すだけで日陰通水路１を容易に開放させることができるために、メンテナンス性が高い。
【００１６】
以上の日陰通水路１に対する水の供給は、例えば雨水を溜めた貯水タンクや水道管などに日陰通水路１を連結することにより行うことが可能である。また、日陰通水路１を屋根構造体２内部に中空状、すなわちほぼ閉塞状態に形成した場合には、ポンプなどによって適宜の水圧で水を送り込むだけで日陰通水路１内の圧力を高めることができ、屋根構造体２への浸透力を容易に高めることができる。この場合において、上述したように日陰通水路１の屋根構造体２における配置を単純化すれば、日陰通水路１全体の圧力をより維持しやすく、屋根構造体２への水の浸透を日陰通水路１全体においてより均質にすることができる。また、日陰通水路１内に給水管５を挿通させ、給水管５に穿孔される放水口から日陰通水路１内に給水をする場合には、給水によって高められた日陰通水路１内の圧力を給水管５内にも作用させ、給水管５から日陰通水路１内への給水量を適宜に調整することができる。
【発明の効果】
【００１７】
以上の説明から明らかなように、本発明によれば、屋根の冷却効率を高めることができ、冷却効果の持続性を向上させることができるために、都市部のヒートアイランド現象を効率的に緩和させることができる。
【００１８】
また、屋根から蒸発させる水分として雨天時に貯めておいた雨水を循環利用した場合には、水資源の効率的かつ効果的な再利用を図ることができる。
【発明を実施するための最良の形態】
【００１９】
図１ないし図６に本発明の実施の形態を示す。この実施の形態において、屋根冷却システムは、図１に示すように、雨水１１を貯留する貯水手段１２と、この貯水手段１２の雨水１１を屋根をなす屋根構造体２に供給する給水手段５とを有し、直射日光によって加熱される屋根構造体２に対して予め蓄えておいた雨水１１を供給して熱を吸収させ、屋根構造体２を冷却する。
【００２０】
貯水手段１２は、濾過槽１３と貯水槽１４とを有し、雨天時に家屋１５の側溝１６を流れる雨水１１を濾過槽１３を経由して貯水槽１４に導き、貯留する。濾過槽１３には雨水１１に含まれる塵や埃を取り除く図示しないフィルター等が設けられ、後述するように多孔質体により形成される屋根構造体２の目詰まりが防止される。貯水槽１４は、晴天が続いた場合を考慮して例えば夏期における３日分程度の屋根構造体２の冷却に必要な水量を蓄えられるだけの容量を備えて形成され、当該容量を超えた分は排水口１７を通じて図外の下水道等に排出される。なお、図１において点線で示される１８は消波のためのフェンスである。
【００２１】
給水手段５は、上記貯水槽１４から屋根構造体２へと配管される送水管１９と、この送水管１９の経路上に設けられるポンプ２０とを有する。図１に示すように、貯水槽１４のフェンス１８内には送水管１９の一端が挿入され、ポンプ２０によって汲み上げられた雨水１１は送水管１９の他端側である屋根構造体２へと運ばれる。また、給水手段５には屋根構造体２に供給する水量を調整するための制御部２２が設けられる。
【００２２】
上記制御部２２は、図１に示すように、上記ポンプ２０の駆動操作が可能な操作部２３と、屋根構造体２の温度や保水量等を検知するセンサ２４とを有し、センサ２４によって屋根構造体２が高温状態であるなど給水が必要な状態が検知されると、室内に配置された操作部２３からブザー等の適宜の給水要求が発せられる。したがって家屋１５の居住者は、この給水要求に応じて操作部２３を操作してポンプ２０を駆動することにより、適切なタイミングで貯水槽１４内の雨水１１を屋根構造体２へと供給することができる。
【００２３】
給水手段５から水の供給を受ける屋根構造体２は、屋根材３の複数を並べることにより形成される。各屋根材３は、図２に示すように、屋根構造体２の表面をなすほぼ平板状の平面部２６と、該平面部２６の上端を基端にして平面部２６からさらに上方に向かって張り出す張り出し部２７とを備え、軒棟方向に羽重ねにして複数並べられることにより上段の屋根材３の平面部２６が下段の屋根材３の張り出し部２７の上に重ねられて支えられる。また、上記張り出し部２７が平面部２６からやや屋根材３表面側に膨隆して形成されるとともに、平面部２６の下端縁から屋根材３背面側に隆起する引掛け部２８が設けられることにより、下段の屋根材３の張り出し部２７の基端に上段の屋根材３の引掛け部２８が係止され、軒棟方向に隣接する屋根材３、３同士がほぼ隙間なく連結される。
【００２４】
さらに、図２に示すように、上記平面部２６の両側縁には屋根材３の厚み方向に互い違いな相じゃくり部２９が形成され、横方向に隣接して並べられる屋根材３、３同士についてもほぼ隙間なく連結される。なお、この実施の形態において屋根構造体２は複数の屋根材３、３・・・を千鳥状に並べることにより形成される（図４参照）。また、図２に示す３０は上段に配置される屋根材３との衝接時の衝接を緩和するゴム等からなるクッション材であり、また、３１は各屋根材３の背面および側面に施される釉薬である。
【００２５】
上記屋根構造体２、すなわち屋根材３は、保水性を備えた多孔質のセラミックス焼結体により形成される。素地原料を混練、成形、乾燥、焼成することにより製造されるセラミックス焼結体は、上記素地原料に関して例えば粘土等の他に大谷石の粉体を配合したり、粒度を調整したりすることなどによって孔径等が調整され、吸水性や保水性が高められる。すなわち、屋根材３が大谷石の粉体を混合してなるセラミックス焼結体によって形成されることにより、粒子間に形成される空隙としての孔のみならず、大谷石のゼオライト構造からなる結晶構造内の細孔によっても保水・吸水機能を発揮することができる。
【００２６】
上記屋根材３を野地板等の屋根下地３２に固定するために、屋根下地３２にはクリップ３３が固定され、上述した各屋根材３の張り出し部２７にはクリップ３３に係合する係合部３４が形成される。クリップ３３は、金属等の薄板を折り曲げて図３（ａ）に示すように断面がほぼ釣り針形状に形成され、平板状の基部３５と、該基部３５の一端から折り返すように延設される弾性爪部３６とを有する。この弾性爪部３６は、基部３５から漸次離れるように延設される立ち上がり部３６ａと、該立ち上がり部３６ａの先端部を基部３５に漸次近接するように折り曲げて形成される折り返し部３６ｂと、該折り返し部３６ｂの先端部を基部３５に対して凸な円弧状に曲成して形成される円弧部３６ｃとを備え、図３（ｂ）に２点鎖線で示すように、上記立ち上がり部３６ａおよび折り返し部３６ｂが主に弾性変形することにより、基部３５と円弧部３６ｃの下端点との間隙が拡大する。なお、図３において３７はクリップ３３を屋根下地３２に固定するネジ、３８はクリップ３３に形成されるネジ穴である。
【００２７】
一方、上記係合部３４は、張り出し部２７の先端に形成される。張り出し部２７は、上述したように平面部２６の上端から屋根材３表面側に膨隆するとともに、該平面部２６からさらに上方に向かって張り出す、すなわち、平面部２６からほぼ直角に立ち上がる膨隆部３９と、この膨隆部３９の先端から平面部２６とほぼ平行に張り出す支承部４０とを備えるほか、図２に示すように、上記支承部４０の先端から屋根材３背面側に向かって傾斜して形成される傾斜部４１と、該傾斜部４１の先端部を屋根材３表面側にやや折り曲げて形成される上述した係合部３４とを有する。この係合部３４は、上述したクリップ３３の基部３５と弾性爪部３６との間隙の形状にほぼ合致するように屋根材３表面側に膨隆して形成され、傾斜部４１との間に略Ｖ字状の溝２５を形成するとともに、先端がやや鋭角に形成される。
【００２８】
したがって、図３（ｂ）に矢印で示すように、クリップ３３の基部３５に背面を沿わせるようにして屋根材３を上端からクリップ３３内に押し込むと、係合部３４の先端部と上記円弧部３６ｃが衝接して上述したように弾性爪部３６が基部３５から離れるように弾性変形し、この後さらに押し込むことで係合部３４の最高点が折り返し部３６ｂを越えてクリップ３３内に収められると、弾性爪部３６が弾性復帰して円弧部３６ｃと上記溝２５が係合し、クリップ３３と係合部３４、すなわち屋根材３が連結される。
【００２９】
このとき、屋根材３の引掛け部２８は上述したように下段に配置される屋根材３の膨隆部３９に係止し、平面部２６は下段の屋根材３の溝２５を上方から覆うように被さり、該溝２５は上記平面部２６により直射日光を遮られた通水路（日陰通水路１）として機能する。
【００３０】
このようにして屋根下地３２に固定される屋根構造体２に対して上述した送水管１９から雨水１１を効率的に供給するために、送水管１９の先端部には給水部４２が設けられる。給水部４２は、図５に示すように、長手方向ほぼ中央に送水管１９の貯水槽１４から引き出された直管部分の先端が連結されて屋根構造体２からなる屋根の棟に沿うように配置される横管４３と、該横管４３の両端から屋根の両側縁に沿って延設される縦管４４とを備え、二本の縦管４４、４４の間には屋根構造体２内部を横方向に貫通するように給水管４が形成される。また、上記横管４３と縦管４４二本との容積の合計は屋根構造体２の保水量とほぼ同じ程度に設定される。なお、図５に示す４６は、給水部４２の水抜きのための排出管である。
【００３１】
給水管４は、図３（ｂ）および図４に示すように、敷設経路上の各屋根材３の位置に対応して染み出すように水を吐出可能な程度の散水孔４７が穿設された断面がほぼ真円からなるホースであり、ゴム製等であって点滴潅漑法などに用いられる少量頻繁給水に適した長手方向に水圧の変化が少ないものが使用される。この給水管４は屋根構造体２の傾斜に沿って複数本配置され、下方に行くに従って漸次内径の小さいものが用いられる。なお、給水管４の外径は、少なくとも屋根材３の溝２５の底と支承部４０の上面との段差よりも大きい程度の寸法に設定される。
【００３２】
上記給水管４の屋根構造体２内部への敷設は、上述したクリップ３３の円弧部３６ｃの上に給水管４を載せることによってなされる。図３（ｂ）および図６（ａ）に示すように、給水管４は、屋根材３の溝２５にやや嵌り込むようにして傾斜部４１と係合部３４の上に被さる円弧部３６ｃおよび折り返し部３６ｂに下面側を支えられ、また、給水管４が載置された屋根材３に対して上段に配置される屋根材３の背面によって上面側がやや押圧されて屋根材３、３間の隙間、より詳細に言えば上段の屋根材３の平面部２６裏面と下段の屋根材３の溝２５との間隙に配置される。なお、この状態で上述した散水孔４７は傾斜部４１側を向いて配置される。
【００３３】
したがって、以上の屋根構造体２の形成、屋根下地３２への取り付けは、先ず、屋根材３の取付ピッチに合わせて屋根下地３２にクリップ３３をネジ止めし、次いで、上述したように屋根材３をクリップ３３に連結させることにより行われ、この際、図４に示すように、羽重ねになるように屋根材３は軒から棟に向かって順に、また、相じゃくりになるように、上方に肉盗みされた相じゃくり部２９ａが形成された屋根材３の一側縁部の上に他の屋根材３の下方に肉盗みされた相じゃくり部２９ｂが形成された一側縁部を重ねるように、すなわち、この実施の形態においては図４に示すように屋根材３は向かって右から左へと順に並べられる。さらに、横方向に並ぶ屋根材３が全て並び終えると、上段に配置される屋根材３が重ねられる前に給水管４が載置される。
【００３４】
なお、上述した横管４３や縦管４４は、上記屋根構造体２の構築とは別工程で屋根下地３２に対して適宜固定することが可能であるが、図５に示すように屋根構造体２に重なるように配置する場合には、屋根構造体２の背面側に横管４３等を収容するための図示しない収容凹部が形成され、屋根構造体２を構築する前に施工される。また、屋根構造体２の側端面や、屋根下地３２の側縁部と屋根構造体２との間の隙間は、適宜の封止材や上述した縦管４４等によりシール、閉塞される。
【００３５】
以上のようにして屋根冷却システムが形成されることにより、雨天時においては、複数の屋根材３、３・・・が上下方向に羽重ね、横方向に相じゃくりによって隙間なく並べられて屋根構造体２が形成され、また、各屋根材３の背面および側面への施釉によって屋根材３の当該面での防水性が高められることにより、雨水１１は、表面から釉薬３１の層の手前まで屋根構造体２に浸透することはあっても、屋根材３、３の間から侵入することはなく、屋根下地３２まで届くことはない。また、この状態において、図１に示すように屋根構造体２の表面を流れる雨水１１は、側溝１６から濾過槽１３を経由して貯水槽１４に流れ込み、濾過されて貯留される。
【００３６】
一方、晴天時においては、直射日光によって屋根構造体２が加熱などされると、これを検知したセンサ２４によって操作部２３からブザーが発せられ、聞きつけた家屋１５居住者によって操作部２３が操作されて給水部４２を満たす程度の量だけ貯水槽１４等から雨水１１が横管４３へと適宜流し込まれる。雨水１１は図５に矢印で示すように縦管４４を経由して給水管４内に流れ、散水孔４７から通水路１へと染み出すように流れ込むが、このとき通水路１は上述したように屋根構造体２が側端面において適宜閉塞される上に、この通水路１が形成された屋根材３に対して上段に配置される屋根材３の施釉された底面により天井面が形成され、かつ、ゴム等からなる給水管４とクッション材３０によって前後方向にも閉塞された状態にある。したがって図６に矢印で示すように、雨水１１は通水路１が形成された屋根材３の表面、すなわち施釉されていない部位から多孔質の屋根材３に浸透する。
【００３７】
この浸透は、毛管現象、および、上述したようにほぼ密閉状態にある通水路１によって形成される閉塞空間に対し、給水管４と縦管４３や横管４４との間に屋根構造体２の傾斜により生じる水位差によって雨水１１が高圧力で注入されることによって、通水路１内が外気圧に比べて高圧になることで促進され、また、釉薬３１により防水された背面および側面によって屋根材３が器として機能することで、順次通水路１から屋根材３の下部側へと広がり、屋根材３全体に拡散する。さらに、上述したように通水路１内が高圧になることにより、給水管５の散水孔４７からの通水路１内への水の放出量が抑制され、散水孔４７から通水路１内への水の吐出速度が屋根材３への水の浸透速度と相対的になるように適宜調整される。なお、この実施の形態においては、図３（ｂ）に示すように屋根下地３２が角度θで傾斜した状態で屋根材３の平面部２６がほぼ水平になるが、屋根下地３２自体を家屋１５に形成する角度によって平面部２６を屋根構造体２の傾斜に沿うように傾斜させることも可能で、この場合には屋根材３下部側への雨水１１の浸透をその自重によってより促進させることができる。
【００３８】
したがって、このようにして浸透した雨水１１によって熱を吸収されるとともに、図６（ａ）に点線で示すように加熱された雨水１１が蒸発して気化熱が奪われることにより、上記加熱された屋根構造体２が冷却される。また、上述したように屋根構造体２が土壌と同程度の微細気孔の多孔質に形成されることで、雨水１１の蒸発がやや抑制されて極めて長時間に渡って気化熱冷却が持続し、屋根構造体２の長時間の温度上昇が防止される。
【００３９】
一方、雨水１１の流路である通水路１や給水管４等のメンテナンス時においては、屋根材３をクリップ３３から取り外すだけで通水路１、すなわち上述した溝２５の天井面を開放させることができ、給水管４を露出させることができる。また、屋根材３のクリップ３３からの離脱についても屋根材３を溝２５を中心に上方に回転させる、すなわち図３（ｂ）に示す矢印の逆方向に屋根材３を引っ張るだけでよい。したがって、上述した屋根構造体２の構築作業と同様に作業が極めて容易にできる。
【００４０】
なお、以上の実施の形態においては、雨水１１を濾過、循環させて屋根構造体２に浸透させる場合を示したが、例えば雨水に代えて生活排水を濾過、循環させたり、あるいは水道管を送水管１９に連結することにより水道水を用いることも可能である。また、屋根構造体２は、上述したような切妻屋根以外の屋根構造に対応した形に変形することも可能で、この場合、給水部４２の横管４３や縦杆４４は屋根構造の外形に合わせて適宜配置等を変更すればよい。さらに、上記屋根下地３２と屋根構造体２との間に適宜の防水シートを敷設して漏水の防止効果をより高めることも可能である。
【図面の簡単な説明】
【００４１】
【図１】本発明を示す図で、全体の概略図である。
【図２】屋根材を示す図で、（ａ）は平面図、（ｂ）は側面図である。
【図３】クリップを説明する図で、（ａ）はクリップの側面図、（ｂ）はクリップによる屋根材の屋根下地への固定を説明する側面図である。
【図４】屋根材の屋根下地への固定を説明する平面図である。
【図５】給水部を示す斜視図である。
【図６】濾過水の屋根材への浸透や蒸発の状態を説明する図で、（ａ）は側面図、（ｂ）は平面図である。
【符号の説明】
【００４２】
１  日陰通水路
２  屋根構造体
３  給水手段
【図１】
2006169736.tif 000003
【図２】
2006169736.tif 000004
【図３】
2006169736.tif 000005
【図４】
2006169736.tif 000006
【図５】
2006169736.tif 000007
【図６】
2006169736.tif 000008